(57)【要約】【課題】水田の水位を直に検出し、それに対応して水位調整弁を開閉することができ、水位によって水田への給水量の調整乃至水位調整を、経済的に且つ的確に行う。【解決手段】内側ケース６内には水田５７の水位を検出するフロート７が設けられており、外側ケース５の上部には受水部３と連通する送水筒部１２を有し、送水筒部１２内にはギヤボックス８が設けられ、ギヤボックス８内にはフロート７と連動するラックとピニオン装置２６が収納されており、水田５７の水位が所定の水位になる状態に対応してフロート７が上昇すると、ラックとピニオン装置２６を介して水位調整弁３３を閉じ、水田５７の水位が所定の水位より下方にある状態に対応してフロート７が下降しているときは、ラックとピニオン装置２６を介して水位調整弁３３を開く。【選択図】図１
0003110832.tif 000002
【実用新案登録請求の範囲】
【請求項１】
下部にあって水田に定置され、水田内に配水するとともに、水田の水位を検出する本体部と、上部にあって給水パイプから給水される水を受水し、水位調整弁を有する受水部を有し、水田の水位が所定の水位より低い場合は上記水位調整弁が開いて上記受水部で受水した水を上記本体部から水田内に配水し、水田の水位が所定の水位になると上記水位調整弁が閉じて水田内への上記配水を停止する水田自動水位調整装置において、
上記本体部には、水田の水位を検出するフロートを有し、該フロートの上下動に連動して上記水位調整弁の閉開が制御されることを特徴とする水田自動水位調整装置。
【請求項２】
下部にあって水田に定置され、水田内に配水するとともに、水田の水位を検出する本体部と、上部にあって給水パイプから給水される水を受水し、水位調整弁を有する受水部を有し、水田の水位が所定の水位より低い場合は上記水位調整弁が開いて上記受水部で受水した水を上記本体部から水田内に配水し、水田の水位が所定の水位になると上記水位調整弁が閉じて水田内への上記配水を停止する水田自動水位調整装置において、
上記本体部には、水田の水位を検出するフロート、及び該フロートと連動するラックとピニオン装置を有し、
上記ラックとピニオン装置は、ピニオンと該ピニオンに両側から噛み合う１対のラックを有し、該１対のラックの一方は上記フロートと結合されており、該１対のラックの他方は上記水位調整弁と結合されており、
上記水田の水位が所定の水位になる状態に対応して上記フロートが上昇位置にあるときは、上記ラックとピニオン装置に連動して上記水位調整弁が閉じ、水田の水位が所定の水位より下方にある状態に対応して上記フロートが下降位置にあるときは、上記ラックとピニオン装置に連動して上記水位調整弁が開くことを特徴とする水田自動水位調整装置。
【請求項３】
下部にあって水田に定置され、水田内に配水するとともに、水田の水位を検出する本体部と、上部にあって給水パイプから給水される水を受水し、水位調整弁を有する受水部を有し、水田の水位が所定の水位より低い場合は上記水位調整弁が開いて上記受水部で受水した水を上記本体部から水田内に配水し、水田の水位が所定の水位になると上記水位調整弁が閉じて水田内への上記配水を停止する水田自動水位調整装置において、
上記本体部には、水田の水位を検出するフロート、及び上記受水部と連通する送水筒部を有し、該送水筒部内にはギアボックスが設けられ、該ギアボックス内には上記フロートと連動するラックとピニオン装置が収納されており、
上記ラックとピニオン装置は、ピニオンと該ピニオンに両側から噛み合う下部ラックと上部ラックを有し、上記下部ラックは上記フロートと結合されており、上記上部ラックは上記水位調整弁と結合されており、
上記水田の水位が所定の水位になる状態に対応して上記フロートが上昇位置にあるときは、上記ラックとピニオン装置に連動して上記水位調整弁が閉じ、水田の水位が所定の水位より下方にある状態に対応して上記フロートが下降位置にあるときは、上記ラックとピニオン装置に連動して上記水位調整弁が開くことを特徴とする水田自動水位調整装置。
【請求項４】
下部にあって水田に定置され、水田内に配水するとともに、水田の水位を検出する本体部と、上部にあって給水パイプから給水される水を受水し、水位調整弁を有する受水部を有し、水田の水位が所定の水位より低い場合は上記水位調整弁が開いて上記受水部で受水した水を上記本体部から水田内に配水し、水田の水位が所定の水位になると上記水位調整弁が閉じて水田内への上記配水を停止する水田自動水位調整装置において、
上記本体部は、外側ケースと内側ケースを備え、上記外側ケースの上部には上記受水部と連通する送水筒部を有し、上記内側ケース内には水田の水位を検出するフロートが設けられており、
上記送水筒部内にはギアボックスが設けられ、該ギアボックス内には上記フロートと連動するラックとピニオン装置が収納されており、
上記ラックとピニオン装置は、ピニオンと該ピニオンに両側から噛み合う下部ラックと上部ラックを有し、上記下部ラックは上記フロートと結合されており、上記上部ラックは上記水位調整弁と結合されており、
上記受水部は、上記水位調整弁を保護する水位調整弁保護カバーを有し、
上記水田の水位が所定の水位になる状態に対応して上記フロートが上昇位置にあるときは、上記ラックとピニオン装置に連動して上記水位調整弁が閉じ、水田の水位が所定の水位より下方にある状態に対応して上記フロートが下降位置にあるときは、上記ラックとピニオン装置に連動して上記水位調整弁が開くことを特徴とする水田自動水位調整装置。
【考案の詳細な説明】
【技術分野】
【０００１】
本考案は、水田の水位を自動的に調整する水田自動水位調整装置に関する。
【背景技術】
【０００２】
昭和３０年代頃までは、我が国における湖水は水質的にもきれいであり、その周辺も自然の姿を保ち、水辺には無数の水草(ヨシ・マコモ等)、水鳥、魚貝類が生息していたが、昭和４０年代初期の高度成長以降、農業形態の近代化、石油製品の大量消費等に伴い、湖水の水質は汚濁し、湖水環境は急速に悪化し、近年では、湖には毎年大量のアオコが発生する等、益々湖水における自然環境が失われつつある。
【０００３】
湖水の水質汚濁が進む具体的な原因はいろいろ考えられるが、その大きな原因として、生活雑排水の湖への流れ込みとともに、水田からの農業用水からの流れ込みが挙げられる。農業用水からの流れ込みについてみれば、近年、水田において除草剤、化学肥料、各種農薬等が利用されているが、これらが、雨水又は過分揚水等 によって排水路へ流れ、さらい河川に流れ込み、水質汚濁の原因にもなっていると考えられる。
【０００４】
水田への給水として、パイプライン方式の給水が通常行われている。このパイプライン方式の給水は、毎日一定時間揚水する方式が通常であり、大雨時以外は揚水ポンプは停止されない。しかし突然の気候等によって大雨になってもバルブは停止されることなく、水田の水がオーバーフローして河川に流れてしまうのが現状である。
【０００５】
ところで、従来、異常低温気象時に水稲の冷害を防止するために、水田への灌漑水の水深を深くすることを目的として、気温に応じて揚水ポンプにより配水量を増加させて配水池への水位を高くする技術は公知である（特許文献１参照）。
【０００６】
さらに、稲作用灌漑用水を水門シャッターを開いて供給するものにおいて、水位が所定の高さに達すればセンサーが感知してロックをはずし、水門シャッターを閉じて水田への給水を止水する技術は公知である（特許文献２参照）。
【特許文献１】特開平０８−２０５６９７号公報
【特許文献２】特開２００３−０１３２０２号公報
【考案の開示】
【考案が解決しようとする課題】
【０００７】
水田の水位を調整する技術は、上記特許文献１、２のように知られている。しかしながら、例えば、特許文献１では、気温検出器により揚水ポンプの速度を制御し、揚水流量を制御するので、技術的に高度となり、しかも水田の水位を直接検出するものではないので、大雨等による増水時のオーバーフロー等に迅速に対応して直接止水することには向いていない。
【０００８】
又、特許文献２では、水センサーで水を検出して水門シャッターを開閉し、又シャッターをロックする等の必要があるから、そのための構造や機構が複雑となる。
【０００９】
本願考案は、水田からの農業用水の河川、湖水への流れ込みに起因する湖水の水質汚濁を防止することを目的とし、従来の水位を調整する技術のような複雑な構造ではなく、水位を調整でき、急の増水にたいしても迅速かつ確実に水位を調整することのできる、構造が簡単で、簡便に設置が可能な水田自動水位調整装置を実現することを課題とする。
【課題を解決するための手段】
【００１０】
本考案は上記課題を解決するために、下部にあって水田に定置され、水田内に配水するとともに、水田の水位を検出する本体部と、上部にあって給水パイプから給水される水を受水し、水位調整弁を有する受水部を有し、水田の水位が所定の水位より低い場合は上記水位調整弁が開いて上記受水部で受水した水を上記本体部から水田内に配水し、水田の水位が所定の水位になると上記水位調整弁が閉じて水田内への上記配水を停止する水田自動水位調整装置において、上記本体部には、水田の水位を検出するフロートを有し、該フロートの上下動に連動して上記水位調整弁の閉開が制御されることを特徴とする水田自動水位調整装置を提供する。
【００１１】
本考案は上記課題を解決するために、下部にあって水田に定置され、水田内に配水するとともに、水田の水位を検出する本体部と、上部にあって給水パイプから給水される水を受水し、水位調整弁を有する受水部を有し、水田の水位が所定の水位より低い場合は上記水位調整弁が開いて上記受水部で受水した水を上記本体部から水田内に配水し、水田の水位が所定の水位になると上記水位調整弁が閉じて水田内への上記配水を停止する水田自動水位調整装置において、上記本体部には、水田の水位を検出するフロート、及び該フロートと連動するラックとピニオン装置を有し、上記ラックとピニオン装置は、ピニオンと該ピニオンに両側から噛み合う１対のラックを有し、該１対のラックの一方は上記フロートと結合されており、該１対のラックの他方は上記水位調整弁と結合されており、上記水田の水位が所定の水位になる状態に対応して上記フロートが上昇位置にあるときは、上記ラックとピニオン装置に連動して上記水位調整弁が閉じ、水田の水位が所定の水位より下方にある状態に対応して上記フロートが下降位置にあるときは、上記ラックとピニオン装置に連動して上記水位調整弁が開くことを特徴とする水田自動水位調整装置を提供する。
【００１２】
本考案は上記課題を解決するために、下部にあって水田に定置され、水田内に配水するとともに、水田の水位を検出する本体部と、上部にあって給水パイプから給水される水を受水し、水位調整弁を有する受水部を有し、水田の水位が所定の水位より低い場合は上記水位調整弁が開いて上記受水部で受水した水を上記本体部から水田内に配水し、水田の水位が所定の水位になると上記水位調整弁が閉じて水田内への上記配水を停止する水田自動水位調整装置において、上記本体部には、水田の水位を検出するフロート、及び上記受水部と連通する送水筒部を有し、該送水筒部内にはギアボックスが設けられ、該ギアボックス内には上記フロートと連動するラックとピニオン装置が収納されており、上記ラックとピニオン装置は、ピニオンと該ピニオンに両側から噛み合う下部ラックと上部ラックを有し、上記下部ラックは上記フロートと結合されており、上記上部ラックは上記水位調整弁と結合されており、上記水田の水位が所定の水位になる状態に対応して上記フロートが上昇位置にあるときは、上記ラックとピニオン装置に連動して上記水位調整弁が閉じ、水田の水位が所定の水位より下方にある状態に対応して上記フロートが下降位置にあるときは、上記ラックとピニオン装置に連動して上記水位調整弁が開くことを特徴とする水田自動水位調整装置を提供する。
【００１３】
本考案は上記課題を解決するために、下部にあって水田に定置され、水田内に配水するとともに、水田の水位を検出する本体部と、上部にあって給水パイプから給水される水を受水し、水位調整弁を有する受水部を有し、水田の水位が所定の水位より低い場合は上記水位調整弁が開いて上記受水部で受水した水を上記本体部から水田内に配水し、水田の水位が所定の水位になると上記水位調整弁が閉じて水田内への上記配水を停止する水田自動水位調整装置において、上記本体部は、外側ケースと内側ケースを備え、上記外側ケースの上部には上記受水部と連通する送水筒部を有し、上記内側ケース内には水田の水位を検出するフロートが設けられており、上記送水筒部内にはギアボックスが設けられ、該ギアボックス内には上記フロートと連動するラックとピニオン装置が収納されており、上記ラックとピニオン装置は、ピニオンと該ピニオンに両側から噛み合う下部ラックと上部ラックを有し、上記下部ラックは上記フロートと結合されており、上記上部ラックは上記水位調整弁と結合されており、上記受水部は、上記水位調整弁を保護する水位調整弁保護カバーを有し、上記水田の水位が所定の水位になる状態に対応して上記フロートが上昇位置にあるときは、上記ラックとピニオン装置に連動して上記水位調整弁が閉じ、水田の水位が所定の水位より下方にある状態に対応して上記フロートが下降位置にあるときは、上記ラックとピニオン装置に連動して上記水位調整弁が開くことを特徴とする水田自動水位調整装置を提供する。
【考案の効果】
【００１４】
上記構成から成る本考案に係る水田自動水位調整装置によれば、構造が簡単で、設置、取扱が簡単であり、しかもその構造上、水田の水位を直に検出し、それに対応して水田への配水を自動的に調整することができるので、水位によって水田への給水量の調整乃至水位調整を、経済的に且つ的確に行うことができる。
【００１５】
その結果、次のような二次的な効果が生じる。
（１）水田の水のオーバーフローを防止できるから、オーバーフローとともに流れ出ていた肥料の流失を防止でき、肥料の損失を最小限に抑えることができる。
（２）水田内に散布された除草剤等の含む水がオーバーフローして排水路に流れ出ることを抑えられるから、除草剤等の含む水による河川、湖水の水質汚濁を防止できる。
（３）水田水位が自動調整されるから、水田管理の省力化となる。
（４）揚水量の節約、揚水ポンプの電気代の節約に大きく貢献する。
【考案を実施するための最良の形態】
【００１６】
本考案に係る水田自動水位調整装置を実施するための最良の形態を、実施例に基づいて図面を参照して、以下に説明する。
【実施例】
【００１７】
図１は、本考案に係る水田自動水位調整装置１を説明する断面図である。この水田自動水位調整装置１は、下部の本体部２と上部の受水部３とから構成されている。本体部２は、水田内に定置されて水田へ水を配水するとともに、水田の水面の水位（単に「水田の水位」という。）を検出する機能を有する。受水部３は、給水パイプ４に接続され、図示しない揚水ポンプから給水される水を受水して、本体部２内へ水の送水を開閉する機能を有する。
【００１８】
本体部２は、外側ケース５、内側ケース６、フロート７、ギヤボックス８（歯車箱）を有している。外側ケース５の底部９下面には、脚１０が固定されており、この脚１０により水田の底部に水田自動水位調整装置１が定置される。外側ケース５の上部１１は筒状に形成されており、この上部１１内に送水筒部１２が、外側ケース５と一体又は別体で同心的に設けられている。外側ケース５の下部の外周囲に沿って、水が出入りする複数の配水用の通孔１３が形成されている。
【００１９】
内側ケース６は、外側ケース５の底部９の上に載置されて同心的に設置され、ボルト１４により外側ケース５に固定されている。この内側ケース６の内部に、フロート７が設けられている。このフロート７には上下方向に直線孔１５が形成されており、この直線孔１５内にフロート案内棒１６が挿入されている。フロート案内棒１６は、外側ケース５の底部９と内側ケース６の頂部１７の間に起立するように固定されている。フロート７は、フロート案内棒１６に沿って上下方向に移動可能である。フロート７の中心にはフロート支持棒１８が固定されいる。
【００２０】
外側ケース５の上部１１内に設けられた送水筒部１２は円筒であるが、この内部にギヤボックス８が水密的（ギヤボックス８内に水が侵入しないようにシールされた状態で）に設けられ、ブラケット１９等で固定されて取り付けられている。図２（ａ）は、図１のＡ−Ａ断面図であるが、この図で示すように、ギヤボックス８は断面が長方形の箱であり、送水筒部１２とギヤボックス８の間には受水部３側から水が流れる送水用隙間１９が形成されている。
【００２１】
送水筒部１２の底部２１は、図２（ｂ）にその平面図を示すが、例えば、放射格子状に形成されている。この底部２１は、ギヤボックス８を支持するとともに、この底部２１を通して、送水用隙間２０を流下する水が外側ケース５と内側ケース６の間のスペース２２内に流れ込むことができる。
【００２２】
送水筒部１２の上端開口は、後述する受水部３の本体である受水容器２３の底壁２４で封止されている。この底壁２４から下方に底部垂壁２５が突設されている。底部垂壁２５は、 送水筒部１２の上端開口に嵌合するように組み立てられる。底壁２４は、図示しないが、放射格子状に形成されており、この底壁２４の隙間を通して受水部３側から送水筒部１２内に水が流入可能である。
【００２３】
ギヤボックス８内には、ラックとピニオン装置２６が収納されている。このラックとピニオン装置２６は、１つのピニオン２７と、このピニオン２７に両側から噛み合うようにピニオン２７を挟んで対照的に配置された下部ラック２８と上部ラック２９を有する。
【００２４】
下部ラック２８はフロート７と結合されており、上部ラック２９は後述する水位調整弁と結合されている。ピニオン２７は、ギヤボックス８内で回転可能に軸支されており、上部ラック２９及び下部ラック２８は、ピニオン２７に左右両側から噛み合ってに互いに上下逆方向に移動可能に設けられている。下部ラック２８のアーム状の下端は、下部ラック支持杆３０に固定されており、上部ラック２９のアーム状の上端は、上部ラック支持杆３１に固定されている。
【００２５】
上部ラック支持杆３１は、受水容器２３の底壁２４の中心に形成された孔から上方に延び、又、下部ラック支持杆３０は、ギヤボックス８の底部中心に形成された孔及び送水筒部１２の底部中心に形成された孔を通して下方に延びるように構成されている。
【００２６】
下部ラック支持杆３０の下部は、内側ケース６の上端ネック部３２の内側で摺動案内されて直線的に上下動する。下部ラック支持杆３０のアーム状の下端には、フロート支持棒１８の上端が固定されており、フロート７の上下動に応じて下部ラック支持杆３０及び下部ラック２８が直線的に上下動する構造となっている。
【００２７】
受水部３は、釜状の受水容器２３、水位調整弁３３、水位調整弁保護カバー３４、ストレーナ３５、蓋３６を備えている。受水容器２３は、その底壁２４がネジ３７で外側ケース５の上部１１に、送水筒部１２の上部開口に面して固定されている。受水容器２３の底壁２４の上面には円筒状の弁座３８が形成されている。
【００２８】
蓋３６は、受水容器２３の上端にネジ３９で着脱可能に固定され、受水容器２３の上部開口を閉じるような構造となっている。蓋３６の中心部には、受水口４０が形成されており、この受水口４０にエルボ４１を介して給水パイプ４が連結されている。
【００２９】
これにより、図示しない揚水ポンプから給水される水が受水容器２３内に供給される。なお、給水パイプ４には給水バルブ４２（図２（ｃ）参照）を設ければ、水田自動水位調整装置１の清掃やメインテナンスの際に給水バルブ４２を閉じて給水停止することができる。
【００３０】
ストレーナ３５は、外形は円筒状に形成されているが、その底壁４３は全体的に上方に向けて湾曲して形成されており、周壁４４は格子状に形成されている。これにより、受水容器２３に上方から供給された水は、底壁４３で周方向に導水され、周壁４４を通して受水容器２３内に流れ込むような構造となっている。
【００３１】
格子状の周壁４４により、受水容器２３内に流入した水に混入されたゴミや雑草等の不純物が捕捉される。このようにして捕捉された不純物は、時々行われるメインテナンスの際に蓋３６を外して取り除くことができる。
【００３２】
水位調整弁保護カバー３４は、ドーム状に形成されており、弁座３８を覆うように受水容器２３の底壁２４にネジ４５で固定されている。水位調整弁保護カバー３４の頂部中心には下方に延びるようにガイド筒４６が形成されている。水位調整弁保護カバー３４の下部の外周囲に複数の流入孔４７が形成されており、この流入孔４７を通して水が水位調整弁保護カバー３４で形成されたスペース４８内に流入する構造となっている。
【００３３】
水位調整弁３３は、その下面中心部に取付孔４９が形成され、この取付孔４９内に上部ラック支持杆３１の上端が同心的に装着されネジ５０により固定されている。水位調整弁３３の上面中心には弁杆５１が同心的に突設され、この弁杆５１がガイド筒４６により上下摺動可能に案内される。これにより、水位調整弁３３は、弁座３８に対して安定して上下動し、水の流路を開閉可能とする。
【００３４】
そして、水田自動水位調整装置１の水位調整弁３３が閉じる水位の位置に対応して、外側ケース５の外面に「閉弁水位マーク５２（水位線）」が付与されている。このようにすると、後述するように、水田の所定の水位に対応して、水田自動水位調整装置１の設置高さを調整する際にきわめて便利である。
【００３５】
なお、図１に示す実線の位置は、フロート７が最大に上昇しきって、下部ラック２８及び上部ラック２９がピニオン２７に対してこれ以上も近づかない位置まで移動し、この結果、水位調整弁３３が閉じた状態を示しているが、この状態で、水位調整弁３３を弁座３８に対して完全に下降せず僅かに開いた状態に水位調整弁３３を上部ラック２９に取り付けるようにしてもよい。このようにすると、フロート７が上昇しきっても、水位調整弁３３は常時僅かに開いた状態となり、水田の水位が所定の水位になっても僅かな水量だけ給水し続けることが可能である。
【００３６】
水田自動水位調整装置１には、図２（ｃ）に示すように、外側ケース５の外周囲に、適宜間隔で複数ヶ所（例．１２０度間隔で３ヶ所）に、それぞれ上下複数（例．２つ）の取付具５３が固定されている。この取付具５３の外端には取付孔が形成されている。この取付孔内に下端にスクリューネジ５４が形成された地中固定棒５５を挿通して外側からネジ５６で固定するような構造となっている。このような構成とすると、水田自動水位調整装置１その設置高さを調整して水田に定置する作業が容易となる。
【００３７】
（作用）
上記構成から成る水田自動水位調整装置１の作用を、以下に説明する。図２（ｄ）に示すように、水田自動水位調整装置１を水田５７に設置する際に、取付具５３のネジ５６を緩めた状態で、複数の地中固定棒５５をそのスクリューネジ５４で水田５７の地面５８内にねじ込んで固定し起立させる。
【００３８】
この状態で、水田自動水位調整装置１を、地中固定棒５５に対してその取り付け高さを調整してから、ネジ５６で地中固定棒５５に固定する。この水田自動水位調整装置１の高さの調整は、次のように行われる。
【００３９】
水田５７の水位が「所定の水位」となると、フロート７が上昇して水位調整弁３３が閉じて、水田５７への水の給水を停止し、水田５７からのオーバーフローを防止できるようにする。そのために、水田５７の所定の水位の高さ（図２（ｄ）の点線で示す高さ）に、外側ケース５の外面に付した閉弁水位マーク５２の位置を合わせると、水田５７の所定の水位に対応し簡単に水田自動水位調整装置１の取付け高さの調整が可能となる。
【００４０】
このようにして、図２（ｄ）に示すように、水田自動水位調整装置１を水田５７内に設置する。ところで、水田５７に水が配水されていない、或いは水位が所定の水位より低い場合は、フロート７は、図１の例えば想像線の位置に下降した状態にある。フロート７が下降した状態では、下部ラック２８は下方に移動しているから、ピニオン２７を介して連動する上部ラック２９は上方に移動した状態である。
【００４１】
この状態では、上部ラック支持杆３１の上端に固定された水位調整弁３３は、弁座３８から離れ、想像線の位置に上昇した状態にある。要するに、水位調整弁３３が開いた状態である。この状態では、給水パイプ４から給水バルブ４２、エルボ４１を介して受水容器２３内に供給される水は、ストレーナの底壁４３によって周方向に導水され、格子状の周壁４３を通して受水容器２３内に流れ込み、さらに、流入孔４７から水位調整弁保護カバー３４内に流れ込む。
【００４２】
水位調整弁３３が開いた状態であるから、水位調整弁保護カバー３４内に流れ込んだ水は、さらに受水容器２３の底壁２４の放射格子状の底壁２４を通って 送水筒部１２内に流入する。そして、水は送水筒部１２内の送水用隙間２０から送水筒部１２の放射格子状底部２１を通り、外側ケース５内に流入する。さらに、水は、外側ケース５の下部の複数の通孔１３から水田５７内に流れ出て配水される。
【００４３】
水田５７内に配水され、或いは大雨による急激な増水により、水位が図２（ｄ）の閉弁水位マーク５２で示す所定の水位となった場合は、フロート７が実線で示す位置まで上昇する。このように、フロート７が実線で示す位置まで上昇すると、下部ラック２８は図１の実線の位置まで上昇する。
【００４４】
この上昇過程で、図１において、ピニオン２７を時計の針方向に回転させて、上部ラック２９を図１の位置まで下降させる。すると、上部ラック支持杆３１を介して水位調整弁３３を弁座３８に対して図１の閉鎖位置まで移動させる。これにより、水位調整弁３３を自動的に閉じることができる。
【００４５】
なお、図１に示す実線の位置は、フロート７が最大に上昇しきって、上下部のラックがピニオン２７に対してこれ以上も近づかない位置まで移動し、この結果、水位調整弁３３が閉じた状態を示しているが、この状態で、水位調整弁３３を僅かに開いた状態に水位調整弁３３を上部ラック２９に取り付けるようにしてもよい。
【００４６】
以上のようにして、水田自動水位調整装置１を使用すれば、水田５７の水位を人が特に管理しなくも自動的に「所定の水位」に保つことができる。ここで参考のために「所定の水位」（稲の生育に必要な「適切な水位」ということである。）について説明する。水田５７の地面５８は整地(代掻)によって平面に近い状態となるが、多少の 凸凹はある。田植え時の水稲幼苗(さなえ)は、水田５７の地面５８からの草丈で、約全長１２０ｍｍ位から日ごとに成長し、１５０ｍｍから２００ｍｍ位、さらには１ｍ 位までに成長する。
【００４７】
このように、稲の成長の草丈によって稲の生育に必要な水田５７の所定の水位（適切な水位）は変わってくるが、例えば、初期生育期では約５０ｍｍ〜７０ｍｍ位で、中期生育期では約７０ｍｍ〜８０ｍｍ位が標準と考えられる。なお、水田５７の土が水面に露出しないようにすることも必要である。田植え後、約２週間〜２０日位は強風によって田面水位の変化も考えられるが、この状態は数時間であり、水稲生育問題 は少ないと考えられる。
【００４８】
なお、図２（ｄ）中、５９は畦畔であり、６０は水田の排水口具であり、６１は排水路である。
【００４９】
以上、本考案に係る水田自動水位調整装置を実施するための最良の形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００５０】
以上のとおり、本考案に係る水田自動水位調整装置は、電気部品、電源装置等不要であり、簡単な構造で、しかもその設置や取扱も簡単であるので、水田の水位を調整するためにきわめて有用であるが、水田の調整に限らず、自動的に水位を調整する必要がある各種の施設（例えば、養殖池等）でも適用可能である。
【図面の簡単な説明】
【００５１】
【図１】本考案に係る水田自動水位調整装置の構造を示す図である。
【図２】（ａ）は図１のＡ−Ａ断面図を示し、（ｂ）は送水筒部の底部平面図を示し、（ｃ）は本考案に係る水田自動水位調整装置を地中固定棒に取り付けた状態を示す図であり、（ｄ）は水田に水田自動水位調整装置を定置した状態を示す図である。
【符号の説明】
【００５２】
１  水田自動水位調整装置               
２  本体部                             
３  受水部                             
４  給水パイプ                         
５  外側ケース                         
６  内側ケース                         
７  フロート                           
８  ギヤボックス                       
９  外側ケースの底部                   
１０  脚                                     
１１  外側ケースの上部                       
１２  送水筒部                               
１３  外側ケースの配水用の通孔               
１４  ボルト                                 
１５  フロートの直線孔                       
１６  フロート案内棒                         
１７  内側ケースの頂部                       
１８  フロート支持棒                         
１９  ブラケット                           
２０  水筒部の送水用隙間                     
２１  送水筒部の底部                         
２２  外側ケースと内側ケースの間のスペース   
２３  受水容器                               
２４  受水容器の底壁                         
２５  底部垂壁                               
２６  ラックとピニオン装置                   
２７  ピニオン                               
２８  下部ラック                             
２９  上部ラック                             
３０  下部ラック支持杆                       
３１  上部ラック支持杆                       
３２  内側ケースの上端ネック部               
３３  水位調整弁                             
３４  水位調整弁保護カバー                   
３５  ストレーナ                             
３６  蓋                                     
３７  ネジ                                   
３８  弁座                                   
３９  ネジ                                   
４０  受水口                                 
４１  エルボ                                 
４２  給水バルブ                             
４３  ストレーナの底壁                       
４４  ストレーナの周壁                       
４５  ネジ                                   
４６  ガイド筒                               
４７  流入孔                                 
４８  スペース                               
４９  水位調整弁の取付孔                     
５０  ネジ                                   
５１  弁杆                                   
５２  閉弁水位マーク                         
５３  取付具                                 
５４  スクリューネジ                         
５５  地中固定棒                             
５６  ネジ                                   
５７  水田                                   
５８  水田の地面                             
５９  畦畔                                   
６０  水田の排水口具                         
６１  排水路                                 
【図１】
0003110832.tif 000003
【図２】
0003110832.tif 000004